(57)【要約】【課題】  液晶ディスプレイなどから取り外した際に、小型化が可能であると共に液晶ディスプレイを汚すことのない取り付け基台を提供すること。【解決手段】  第１基体部２１と第１基体部２１の下面２１Ａの両端に第１基体部２１の長手方向に対してほぼ垂直に突出して設けられた一対の第１脚部２２とを有する第１挟持部材１１と、第２基体部３１と第２基体部３１の下面３１Ａの両端に第２基体部３１の長手方向に対してほぼ垂直に突出して設けられた一対の第２脚部３２とを有し、第２基体部３１の上面３１Ｂに外付けアンテナを取り付け可能な設置部３４が設けられた第２挟持部材１３とを備え、第１及び第２挟持部材１１、１３は、第１及び第２基体部２１、３１の各中心を通って第１及び第２脚部２２、３２と平行な回動軸１２に対して相互に回動可能に取り付けられていることを特徴とする。【選択図】  図１
2005301562.tif 000002
【特許請求の範囲】
【請求項１】
棒状の第１基体部と該第１基体部の一面の両端に該第１基体部の長手方向に対してほぼ垂直に突出して設けられた一対の第１脚部とを有する第１挟持部材と、
棒状の第２基体部と該第２基体部の一面の両端に該第２基体部の長手方向に対してほぼ垂直に突出して設けられた一対の第２脚部とを有し、前記第２基体部の他面に他の部材を取り付け可能な設置部が設けられた第２挟持部材とを備え、
前記第１及び第２挟持部材は、前記第１基体部の他面と前記第２基体部の一面とが対向して配され、前記第１及び第２基体部の各中心を通って前記第１及び第２脚部と平行な回動軸に対して相互に回動可能に取り付けられていることを特徴とする取り付け基台。
【請求項２】
前記一対の第２脚部の間隔が、前記第１基体部の長さ以上であることを特徴とする請求項１に記載の取り付け基台。
【請求項３】
前記回動軸の軸回りで前記第１脚部と前記第２脚部とを離間させる方向の回動に抵抗を加える回動抵抗付加機構を備えることを特徴とする請求項１または２に記載の取り付け基台。
【請求項４】
前記回動抵抗付加機構が、前記回動軸の軸回りで前記第１脚部と前記第２脚部とを離間させる方向の回動に抵抗を加えると共に一定の回動角度で抵抗を低下させることを特徴とする請求項４または５に記載の取り付け基台。
【請求項５】
前記回動抵抗付加機構は、前記第1基体部の他面に設けられる係合溝と、前記第２基体部の一面に設けられる係合突起からなることを特徴とする請求項３または４に記載の取り付け基台。
【請求項６】
前記回動抵抗付加機構は、前記第１基体部の他面に設けられる係合突起と、前記第２基体部の一面に設けられる係合溝からなることを特徴とする請求項３または４に記載の取り付け基台。
【請求項７】
前記回動抵抗付加機構は、前記第１基体部の他面に設けられる係合突起及び係合溝と、前記第２基体部の一面に前記第１基体部の他面に設けられる係合突起に対応して設けられる係合溝及び前記第１基体部の他面に設けられる係合溝に対応して設けられる係合突起とからなることを特徴とする請求項３または４に記載の取り付け基台。
【請求項８】
前記回動抵抗付加機構は、前記第１基体部の他面に設けられる第１の係合突起と、前記第２基体部の一面に設けられる第２の係合突起からなることを特徴とする請求項３または４に記載の取り付け基台。
【請求項９】
前記回動抵抗付加機構は、前記第１及び第２基体部の間に狭持されて設けられる弾性部材からなることを特徴とする請求項３に記載の取り付け基台。
【請求項１０】
前記第１及び第２脚部に緩衝部が設けられていることを特徴とする請求項１から４のいずれか１項に記載の取り付け基台。
【請求項１１】
請求項１から５のいずれか１項に記載の取り付け基台と、
前記他の部材として前記設置部に取り付け可能なアンテナとを備えたことを特徴とするアンテナ装置。
【請求項１２】
前記設置部と前記アンテナとがボールジョイントによって設置されていることを特徴とする請求項６に記載のアンテナ装置。
【請求項１３】
請求項６または請求項７のいずれかに記載されたアンテナ装置であって、該アンテナ装置は前記アンテナに接続された給電ケーブルと、該給電ケーブルの前記アンテナ側の他端に設けられた第１のコネクタを備え、該アンテナ装置と、前記第１のコネクタと接続するための第２のコネクタを備えた無線通信装置本体とを備えたことを特徴とする無線通信装置。
【発明の詳細な説明】
【技術分野】
【０００１】
本発明は、例えばノート型パーソナルコンピュータ（以下、ノートＰＣと省略する。）などの液晶ディスプレイにアンテナなどの外付け部材を設置する取り付け基台に関する。
【背景技術】
【０００２】
近年、例えばノートＰＣに設けられたＰＣカードスロットに装着して無線通信を行うＰＣカード型モデムがある。このＰＣカード型モデムには無線通信用のアンテナが内蔵されているが、ＰＣカードモデムをＰＣカードスロットに装着した際に、内蔵されたアンテナがノートＰＣの近傍に配置されることになる。これにより、ノートＰＣ内部から発生するノイズの影響で無線通信の送受信状態が劣化する場合がある。このため、ＰＣカード型モデムに接続可能でノートＰＣからのノイズの影響を低減できるように離れた位置に設置することができる外付けアンテナが提案されている。
【０００３】
この外付けアンテナは、ノートＰＣをさまざまな場所に持ち運んで無線通信を行う場合、外付けアンテナを安定して設置することができるように、例えばノートＰＣの液晶ディスプレイに取り付け可能であることが好ましい。
【０００４】
一方、例えばテレビ電話やテレビ会議などで使用される電子カメラをノートＰＣの液晶ディスプレイに取り付ける取り付け基台が提案されている（例えば、特許文献１、２参照。）。
【０００５】
前者の取り付け基台は、電子カメラを設置可能なクリップ形状を有しており、このクリップ部で液晶ディスプレイを挟持するような構成となっている。
また、後者の取り付け基台は、電子カメラを回動調整自在に取り付け可能な設置部が形成された取り付け基台であって、両面テープなどの粘着テープで液晶ディスプレイに固定して、電子カメラを設置するような構成となっている。
【特許文献１】特開平１１−１５３８３２号公報  （図１）
【特許文献２】特開平１０−２２４６８７号公報  （図１）
【発明の開示】
【発明が解決しようとする課題】
【０００６】
しかしながら、上記従来の取り付け基台においては、以下の問題があった。すなわち、上記従来の取り付け基台を外付けアンテナを設置することに使用する場合、前者の取り付け基台は、液晶ディスプレイから取り外した時にこのクリップ部がかさばり、持ち運びに不都合があった。
また、後者の取り付け基台は、粘着テープを用いて取り付け基台を液晶ディスプレイに固定しているため、取り付け基台を外した際に粘着テープによってノートＰＣが汚れる虞があった。
【０００７】
本発明は、上記課題に鑑みてなされたもので、液晶ディスプレイなどから取り外した際に、小型化が可能であると共に液晶ディスプレイを汚すことのない取り付け基台を提供することを目的とする。
【課題を解決するための手段】
【０００８】
本発明は、前記課題を解決するために以下の構成を採用した。すなわち、本発明にかかる取り付け基台は、棒状の第１基体部と該第１基体部の一面の両端に該第１基体部の長手方向に対してほぼ垂直に突出して設けられた一対の第１脚部とを有する第１挟持部材と、棒状の第２基体部と該第２基体部の一面の両端に該第２基体部の長手方向に対してほぼ垂直に突出して設けられた一対の第２脚部とを有し、前記第２基体部の他面に他の部材を取り付け可能な設置部が設けられた第２挟持部材とを備え、前記第１及び第２挟持部材は、前記第１基体部の他面と前記第２基体部の一面とが対向して配され、前記第１及び第２基体部の各中心を通って前記第１及び第２脚部と平行な回動軸に対して相互に回動可能に取り付けられていることを特徴とする。
【０００９】
この発明によれば、設置部に例えばアンテナなどの他の部材を取り付け、第１及び第２挟持部材を回動軸に対して相互に回動することにより、例えばノートＰＣの液晶ディスプレイなどの幅に合わせてＸ字状に適宜広げ、第１脚部及び第２脚部によって液晶ディスプレイを挟持することにより外付けアンテナを液晶ディスプレイに固定することができる。
また、液晶ディスプレイから取り外して取り付け基台を使用しないときには、第１挟持部と第２挟持部とで構成される回動角度が最小となるように閉じて畳むことで小型化が図れ、取り付け基台の持ち運びが容易となる。
また、本発明にかかる取り付け基台は、前記一対の第２脚部の間隔が、前記第１基体部の長さ以上であることが好ましい。
【００１０】
この発明によれば、第１挟持部材と第２挟持部材との角度である回動角度が最小となるように畳んだ際に、第１基体部の長手方向の長さが、一対の第２脚部間の長さ以下であることで、一対の第２脚部と第２基体部とで形成された空間に第１挟持部材を収納することができる。したがって、よりコンパクトにまとめることができる。
また、本発明にかかる取り付け基台は、前記回動軸の軸回りで前記第１脚部と前記第２脚部とを離間させる方向の回動に抵抗を加える回動抵抗付加機構を備えることが好ましい。
この発明によれば、回動軸の軸回りで回動させてＸ字状に開くときに回動抵抗付加機構により開く方向の回動に抵抗が加えられることによって第１及び第２脚部が離間する方向に回動しにくくなる。したがって、第１及び第２挟持部材によって挟持した際に、第１及び第２脚部の間隔が広がりにくいので、より安定して固定することができる。
また、本発明にかかる取り付け基台は、前記回動抵抗付加機構が、前記回動軸の軸回りで前記第１脚部と前記第２脚部とを離間させる方向の回動に抵抗を加えると共に一定の回動角度で抵抗を低下させることが好ましい。
【００１１】
この発明によれば、第１及び第２脚部を回動軸の軸回りで回動させて第１及び第２脚部の間隔を開いたときに、回動抵抗に強弱がつくことで、いわゆるクリック感を一定回動角度で得ることができる。また、一定の回動角度で第１及び第２挟持部材が固定され易くなるので、安定して液晶ディスプレイを挟持することができる。
また、本発明にかかる取り付け基台は、前記一対の第１及び第２脚部に緩衝部が設けられていることが好ましい。
【００１２】
この発明によれば、一対の第１及び第２脚部で挟持した際に、緩衝部により液晶ディスプレイへの負荷を緩衝することで、液晶ディスプレイが損傷することが回避できる。また、液晶ディスプレイと第１及び第２脚部との接触面積が増大するので、第１及び第２挟持部材で液晶ディスプレイをより安定して挟持することができる。
また、本発明にかかるアンテナ装置は、上述した取り付け基台と、前記他の部材として前記設置部に取り付け可能なアンテナとを備えたことを特徴とする。
【００１３】
この発明によれば、設置部にアンテナを取り付けて取り付け基台を例えばノートＰＣの液晶ディスプレイなどに固定することよって、ノートＰＣからのノイズの影響を受けにくくなり、より無線通信の送受信感度を向上させることができる。
また、本発明にかかるアンテナ装置は、前記設置部と前記アンテナとがボールジョイントによって設置されていることが好ましい。
【００１４】
この発明によれば、設置部とアンテナとがボールジョイントで取り付けられていることで、アンテナが摺動自在に取り付け可能となる。したがって、アンテナを適宜摺動させることにより送受信感度のよい方向に向けることができる。
また、本発明にかかる無線通信装置は、上記記載のアンテナ装置であって、該アンテナ装置は前記アンテナに接続された給電ケーブルと、該給電ケーブルの前記アンテナ側の他端に設けられた第１のコネクタを備え、該アンテナ装置と、前記第１のコネクタと接続するための第２のコネクタを備えた無線通信装置本体とを備えたことを特徴とする。
この発明によれば、例えばノートＰＣからのノイズの影響を受けにくく、送受信感度を向上させた無線通信が行える。
【発明の効果】
【００１５】
本発明の取り付け基台によれば、例えば液晶ディスプレイなどから取り外したときに取り付け基台を第１及び第２挟持部材を回動させることによって畳むことが可能となる。したがって、取り付け基台をコンパクトにまとめることができる。また、第１及び第２脚部で挟持することによって固定するため、固定に粘着テープなどを必要とせず、取り外した際に液晶ディスプレイを汚すことがない。
【発明を実施するための最良の形態】
【００１６】
以下、本発明による取り付け基台の第１の実施形態を図１から図５を参照しながら説明する。
【００１７】
本実施形態による取り付け基台１は、棒状の外付けアンテナを取り付け、ノートＰＣの液晶ディスプレイに固定するものである。
この取り付け基台１は、図１及び図２に示すように、第１挟持部材１１と、この第１挟持部材１１に対して回動可能な回動軸１２を有する第２挟持部材１３と、Ｏリング（回動抵抗付加機構）１４とで構成されている。
【００１８】
第１挟持部材１１は、棒状の第１基体部２１と、この第１基体部２１の下面（一面）２１Ａの両端に第１基体部２１の長手方向に対してほぼ垂直に突出して形成された一対の第１脚部２２とから構成されている。
【００１９】
第１基体部２１には、そのほぼ中央に回動軸１２が挿入される貫通孔である軸孔２３が形成されており、この回動軸１２を係止する係止溝２３Ａが設けられている。
一対の第１脚部２２の表面は、軟性ゴムで構成された緩衝部２４に覆われている。
【００２０】
第２挟持部材１３は、第１挟持部材１１と同様に、棒状の第２基体部３１と、この第２基体部３１の下面（一面）３１Ａの両端に第２基体部３１の長手方向に対してほぼ垂直に突出して形成された一対の第２脚部３２とから構成されている。
【００２１】
第２基体部３１には、そのほぼ中央に下面３１Ａから一対の第２脚部３２と同方向に突出し、軸孔２３に挿入可能な回動軸１２が形成されている。またこの下面３１Ａの回動軸１２の周囲にＯリング１４を収納可能な円周溝３３が形成されている。
一方、第２基体部３１の上面３１（他面）Ｂには、そのほぼ中央に後述する外付けアンテナを設置可能な設置部３４が形成されている。
【００２２】
この回動軸１２は、第１基体部２１とほぼ同一の長さで形成されており、円筒形状を有している。また、回動軸１２の円筒面に対して軸方向にスリットを設けることにより複数の回動軸片４１が形成されている。
複数の回動軸片４１は、回動軸１２の中心軸に向かって弾性力を持って動くことが可能となっており、それぞれの先端には回動軸１２に対して周方向で突出し、係止溝２３Ａと嵌合する係止突起４１Ａが形成されている。
回動軸１２を軸孔２３に挿入して係止突起４１Ａと係止溝２３Ａとを嵌合させることによって、第１基体部２１の上面（他面）２１Ｂと第２基体部３１の下面３１Ａとが回動軸１２の軸回りで回動可能となるように接触する。
設置部３４は、ほぼ球状の穴であるソケット３４Ａと、ソケット３４Ａの上面３１Ｂ側の開口から上面３１Ｂに向かって漸次開口径が大きくなるソケット開口部３４Ｂとで構成されている。
【００２３】
一対の第２脚部３２は、その間隔が第１基体部２１の長さ以上となるように形成されており、その表面が第１脚部２２と同様に軟性ゴムで構成された緩衝部３５に覆われている。
【００２４】
Ｏリング１４は、回動軸１２を軸孔２３に挿入して係止突起４１Ａと係止溝２３Ａとを嵌合させることによって、円周溝３３と上面２１Ｂで形成された空間内に圧縮して収納される。そして、第１基体部２１を第２基体部３１に対して回動軸１２の軸周りで第１脚部２２及び第２脚部３２が離間する方向に回動させたときに第１基体部２１とＯリング１４とが摩擦し、この摩擦力により第１及び第２挟持部材１１、１３の回動に抵抗が加えられるように構成されている。
【００２５】
図３に示すように、無線通信装置５０は、ＰＣカード型モデム（無線通信本体）５１と、ＰＣカード型モデム５１に接続可能な外付けアンテナ５２とを備えている。
外付けアンテナ５２は、内部に導体で形成されたアンテナ導体（図示略）を有するアンテナ本体５３と、アンテナ導体の基端側とＰＣカード型モデム５１とを電気的に接続する同軸ケーブルである給電ケーブル５４と、アンテナ本体５３の基端に設けられた球状のスタッド５５とで構成されている。
【００２６】
給電ケーブル５４は、先端にＰＣカード型モデム５１の挿入方向とは反対の面に設けられたジャック（第２のコネクタ）５１Ａと接続するプラグ（第１のコネクタ）５４Ａを備えている。このジャック５１Ａ及びプラグ５４Ａは、例えばφ３．５ｍｍの同軸コネクタである。尚、図３ではジャック（第２のコネクタ）５１ＡはＰＣカード型モデム５１の挿入方向とは反対の面に設けられたが、ＰＣカード型モデム５１の側面に設けても良い。
スタッド５５とソケット３４Ａとを嵌合させることによって、外付けアンテナ５２は取り付け基台１に対して摺動自在に取り付けられる。
【００２７】
この取り付け基台１をノートＰＣの液晶ディスプレイ６０に取り付けるときは、図４（ａ）及び図５に示すように、第１挟持部材１１を回動軸１２の軸回りで回動させることで第１脚部２２と第２脚部３２とを離間させ、第１脚部２２と第２脚部３２との間隔が液晶ディスプレイ６０の幅とほぼ同一となるようにする。
【００２８】
この状態で、液晶ディスプレイ６０に取り付け基台１を固定する。このとき、Ｏリング１４により回動軸１２の軸回りでの回動に適度な回動抵抗が加えられているため、取り付け基台１を液晶ディスプレイ６０に固定した際に、重力などによって第１脚部２２と第２脚部３２とが離間しないように固定される。これにより、第１脚部２２と第２脚部３２との間隔が液晶ディスプレイ６０の幅と同一となるように維持されるため、安定して固定できる。
【００２９】
そして、設置部３４と外付けアンテナ５２のスタッド５５とを嵌合させて外付けアンテナ５２を取り付ける。このとき、設置部３４と外付けアンテナ５２とはボールジョイントとなっているため、外付けアンテナ５２を設置部３４内で適宜摺動させることで外付けアンテナ５２による送受信状態が良好となる方向に向けることができる。
なお、図４（ｂ）に示すように、液晶ディスプレイ６０の幅が広いときは、第１挟持部材１１を回動軸１２の軸回りでさらに回動させて第１脚部２２と第２脚部３２とをさらに離間させることにより、液晶ディスプレイ６０の幅とほぼ同一となるようにする。このように、第１挟持部材１１と第２挟持部材１３との回動角度を調節することで、さまざまな幅の液晶ディスプレイに取り付けることができる。
また、この取り付け基台１をノートＰＣの液晶ディスプレイ６０から取り外したときは、第１挟持部材１１を回動軸１２の軸回りで回動させ、第１挟持部材１１及び第２挟持部材１３で構成された回動角度を最小にする。このとき、一対の第２脚部３２の間隔が、第１基体部２１の長さよりも長いため、第１挟持部材１１が第２基体部３１と一対の第２脚部３２とで構成された空間内に収納される。
【００３０】
上記の構成によれば、第１挟持部材１１を第２挟持部材１３に対して回動軸１２の軸回りで回動させることにより第１脚部２２と第２脚部３２との間隔を液晶ディスプレイ６０の幅と同一とすることで、取り付け基台１を固定することができる。したがって、取り付け基台１の固定に粘着テープなどを必要としないので、取り外した際に液晶ディスプレイ６０が汚れることを抑制する。
また、取り付け基台１を液晶ディスプレイ６０から外したときに、第１挟持部材１１と第２挟持部材１３とで構成される回動角度が最小となるようにし、第２基体部３１と一対の第２脚部３２とで構成される空間内に収納することで取り付け基台１をコンパクトにすることができる。
また、Ｏリング１４によって第１挟持部材１１の第２挟持部材１３に対する回動軸１２の軸回りの回動に摩擦が生じるため、第１脚部２２と第２脚部３２との間隔を維持することができる。したがって、液晶ディスプレイ６０に安定して固定できる。
また、一対の第１脚部２２及び第２脚部３２の表面を緩衝部２４および３５で覆うことによって、液晶ディスプレイ６０が傷つくことを抑制することができる。
【００３１】
次に、本実施形態にかかる取り付け基台の第２の実施形態について図６及び図７を参照しながら説明する。なお、以下の説明において、上記実施形態において説明した構成要素には同一符号を付し、その説明は省略する。
【００３２】
第２の実施形態と第１の実施形態との異なる点は、上述した第１の実施形態における取り付け基台１は、Ｏリング１４によって、第１挟持部材１１の第２挟持部材１３に対する回動軸１２周りの回動に抵抗を加えていたのに対し、本実施形態にかかる取り付け基台７０では、つるまきバネ（回動抵抗付加機構）７１によって回動軸１２周りの回動に抵抗が加えられている点である。
【００３３】
すなわち、本実施形態の取り付け基台７０は、第１挟持部材７２を構成する第１基体部７３の上面（他面）７３Ｂに第１バネ収納溝７４が形成され、第２挟持部材７５を構成して第１基体部７３の上面７３Ｂと対向する第２基体部７６の下面（一面）７６Ａにも同様に第２バネ収納溝７７が形成されている。
【００３４】
つるまきバネ７１は、バネ定数の小さなやわらかいバネであって、第１挟持部材７２と第２挟持部材７５との回動角度が小さくなる方向に復元力を持つように、回動軸１２に巻きつけるようにして配されている。このようにすることで、回動軸１２の第１及び第２脚部２２、３２が離間する方向の回動に対して抵抗が加えられる。
また、両端が第１バネ収納溝７４及び第２バネ収納溝７７にそれぞれ形成された係止溝７８に固定可能となるようにＬ字状に折り曲げられた係止部７１Ａとなっている。
上記の構成によれば、上述した第１の実施形態と同様の効果を有するが、つるまきバネ７１が第１挟持部材７２及び第２挟持部材７５の回動角度が小さくなる方向に復元力を有するため、液晶ディスプレイ６０に対してより確実に固定することができる。
【００３５】
次に、本実施形態にかかる取り付け基台の第３の実施形態について図８から図１０を参照しながら説明する。なお、以下の説明において、上記実施形態において説明した構成要素には同一符号を付し、その説明は省略する。
【００３６】
第３の実施形態と第１の実施形態との異なる点は、上述した第１の実施形態における取り付け基台１は、Ｏリング１４によって、第１挟持部材１１の第２挟持部材１３に対する回動軸１２周りの回動に抵抗を加えていたのに対し、本実施形態にかかる取り付け基台８０では、第１挟持部材８２を構成する第１基体部８３の上面（他面）８３Ｂに軸孔２３の周方向の一定角度ごとに係合溝（回動抵抗付加機構）８４が形成されていると共に、第２挟持部材８５を構成して第１基体部８３の上面８３Ｂと対向する第２基体部８６の下面（一面）８６Ａに回動軸１２の周方向に第１基体部８３に形成された係合溝８４と係合する係合突起（回動抵抗付加機構）８７が形成されている点である。
【００３７】
回動軸１２の軸回りで回動させると、第１基体部８３の係合溝８４と第２基体部８６の係合突起８７とが係合する一定の回動角度から軸回りで回動させると、第１基体部８３の係合溝８４と第２基体部８６の係合突起８７とが係合しているため、回動抵抗が加えられる。そして、再び第１基体部８３の係合溝８４と第２基体部８６の係合突起８７とが係合する回動角度となると回動抵抗が低下する。したがって、第１基体部８３に係合溝８４が設けられた一定の回動角度ごとで固定され易くなる。回動軸１２周りでの回動に回動抵抗に強弱がつくことで、いわゆるクリック感を一定回動角度で得ることができる。
【００３８】
上記の構成によれば、上述した第１の実施形態と同様の効果を有するが、第１基体部８３の上面８３Ｂに形成された係合溝８４と第２基体部８６の下面８６Ａに形成された係合突起８７とが係合することによって、回動軸１２周りの一定の回動角度で固定され易くなる。これにより、第１脚部２２と第２脚部３２との間隔を維持することができる。また、いわゆるクリック感を一定回動角度で得られることで、操作者が操作しやすくなる。
なお、本実施形態において、第１基体部８３に形成された係合溝８４が複数形成されたが、１つであってもよい。また係合突起８７が複数あってもよい。
また、係合突起を第１基体部の他面に、係合溝を第２基体部の一面に形成してもよい。また、第１基体部の他面に係合溝と係合突起を設け、第２基体部の一面に第１基体部の
他面の係合溝と係合突起に対応させた係合突起と係合溝を設けてもよい。
更に、係合溝を係合突起とし、第１基体部の他面に第１の係合突起を設けると共に第２
基体部の一面に第２の係合突起を設け、係合突起同士を係合させる構成としてもよい。
なお、本発明の構成は上述した実施形態に限定されるものではなく、本発明の要旨を逸脱しない範囲内において適宜変更することができる。
【００３９】
例えば、上記実施形態では、一対の第２脚部の間隔が第１基体部の長さよりも長くしたが、図１１に示す取り付け基台９０のように、第１挟持部９１の第１脚部９２の間隔と第２挟持部９３の第２脚部９４の間隔とを同じとしてもよい。このような構造であっても、従来の取り付け基台に比べて取り付け基台を取り外したときにコンパクトにまとめることができる。
また、上記実施形態では、設置部に外付けアンテナを取り付けたが、設置部に取り付けられた他の部材による重力などで取り付け基台による挟持が外れないようなものであればよく、例えば、小型の電子カメラや音声入力用のマイクなどであってもよい。
【図面の簡単な説明】
【００４０】
【図１】本発明の第１の実施形態にかかる取り付け基台を示すもので、（ａ）は正面図、（ｂ）は平面図である。
【図２】本発明の第１の実施形態にかかる取り付け基台の図１（ｂ）におけるＡ−Ａ断面矢視図である。
【図３】本発明の第１の実施形態にかかる外付けアンテナを示す正面図である。
【図４】本発明の第１の実施形態にかかる取り付け基台による固定状態を示す平面図である。
【図５】本発明の第１の実施形態にかかる取り付け基台による固定状態を示す正面図である。
【図６】本発明の第２の実施形態にかかる取り付け基台と示すもので、（ａ）は正面図、（ｂ）は平面図である。
【図７】本発明の第２の実施形態にかかる取り付け基台と示すもので、（ａ）は図６（ａ）におけるＢ−Ｂ断面矢視図、（ｂ）は図６（ｂ）におけるＣ−Ｃ断面矢視図である。
【図８】本発明の第３の実施形態にかかる取り付け基台を示す正面図である。
【図９】本発明の第３の実施形態にかかる取り付け基台を示す断面図である。
【図１０】本発明の第３の実施形態にかかる取り付け基台を示すもので、（ａ）は第２挟持部材の底面図、（ｂ）は第１挟持部材の平面図である。
【図１１】本発明の他の実施形態にかかる取り付け基台を示すもので、（ａ）は正面図、（ｂ）は平面図である。
【符号の説明】
【００４１】
１、７０、８０、９０  取り付け基台
１１、７２、８２、９２  第１挟持部材
１２  回動軸
１３、７５、８５、９３  第２挟持部材
１４  Ｏリング（回動抵抗付加機構）
２１Ａ、３１Ａ、７６Ａ、８６Ａ  下面（一面）
２１Ｂ、３１Ｂ、７３Ｂ、８３Ｂ  上面（他面）
２１、７３、８３  第１基体部
２２  第１脚部
２４、３５  緩衝部
３１、７６、８６  第２基体部
３２  第２脚部
３４  設置部
３４Ａ  ソケット（ボールジョイント）
５０  無線通信装置
５１  ＰＣカード型モデム（無線通信装置本体）
５１Ａ  ジャック
５２  外付けアンテナ（他の部材）
５４  給電ケーブル
５４Ａ  プラグ
５４  スタッド（ボールジョイント）
７１  つるまきバネ（回動抵抗付加機構）
８４  係合溝（回動抵抗付加機構）
８７  係合突起（回動抵抗付加機構）
【図１】
2005301562.tif 000003
【図２】
2005301562.tif 000004
【図３】
2005301562.tif 000005
【図４】
2005301562.tif 000006
【図５】
2005301562.tif 000007
【図６】
2005301562.tif 000008
【図７】
2005301562.tif 000009
【図８】
2005301562.tif 000010
【図９】
2005301562.tif 000011
【図１０】
2005301562.tif 000012
【図１１】
2005301562.tif 000013